(57)【要約】【課題】洗濯物干し用ハンガーのフックどうしが絡まることなく、収納場所から1本１本を簡単に取り出すことができ、手間をかけることなく物干し竿に掛けることができるシンプルな構造のハンガーを提供することを課題とする。【解決手段】ハンガーのフック部分１aにガード部品２を装着してフックを円形にすることにより、フックどうしの絡みを解消した。ガード部品２に、柔軟性と耐久性のある材質を用いることで、ガード部品２を取り外す等の手間をかけることなく、物干し竿のポール３にそのまま掛けることが可能である。さらに、ガード部品２は物干し竿のポール３の形状に則して変形することで密着するので、風でハンガーが移動することも防止できる。また、フックどうしの絡みを気にすることなく洗濯かごや袋等に収納することができる。さらに、構造がシンプルなので、製造が容易なだけでなく、製造コストを低くすることができる。【選択図】図１
2010253009.tif 000002
【特許請求の範囲】
【請求項１】
洗濯物干し用ハンガーにおいて、フック部分１aに柔軟性と弾性を備えた材質で作られたガード部品２を取り付け、このガード部品２は、一端にフック部分１の先端から通しフック部分１の首部に位置させる第１リング状部分２aと、他端にフック部分の先端に通し位置させる第２リング状部分２bとを有し、両端の間に位置する中央部分２cは、未使用時にはフックの形状が円形になり、衣類を掛けると物干し竿のポール３の形状に則して変形することを特徴とする円形フック付きハンガー。
【請求項２】
前記第１リング状部分２a及び第２リング状部分２bは、チューブ形状であり、前記中央部分２cは、前記チューブ形状を半割にしたＵ字型断面形状であることを特徴とした請求項１記載の円形フック付きハンガー。
【発明の詳細な説明】
【技術分野】
【０００１】
ハンガーを洗濯かごや袋に収納して保管する際に、フックどうしが絡まることを防止することに関する。
【背景技術】
【０００２】
従来、ハンガーは洗濯かごや袋等に収納して保管していたが、いざ使う時になるとハンガーのフックが他のハンガーに引っ掛かったりフックどうしが絡まってしまい、1本1本を簡単に取り出すことが困難で、多大な手間とストレスになっていた。そのため、ハンガーは戸外の物干し竿のポールに掛けっぱなしにされる等、不衛生な状況を招くことも少なくなかった。
【０００３】
収納時にハンガーのフックどうしの絡まりを防止できる機能を自然と有した洗濯物干し用ハンガーが提案されている。たとえば、図７に示す特開平１１−２８５５９７号公報と図８に示す実登３０８２７１５号公報にそれぞれ記載の洗濯物干し用ハンガーである。しかしながら、特開平１１−２８５５９７号公報に記載のハンガーは、戸外の物干し竿に吊るしたハンガーが強風等で一方にかたよったり竿から落ちることを防止すること、ハンガーの吊り下げ部と物干し竿との間に起こる騒音を防止することを課題として発明されており、フックの絡まりを防止するための機能としては構造が複雑であり、物干し竿への吊り下げや取り外しにも手間がかかりストレスとなる。
【０００４】
また、実登３０８２７１５公報に記載のハンガーにおいても、衣類をハンガーに吊り下げるときに、襟回りが伸びてしまうという不具合を防止することを課題としており、外見上の類似性はあるものの、フックの先端を覆い隠すことはできず、フックどうしが絡むことを防止できる構造を完全には有していない。すなわち前記図７及び図８の両公報に記載のハンガーは、フックどうしが絡まることを防止することを課題として発明されていないので、構造が複雑で利用する際の手間が煩わしく、さらに部品点数が多いために製造コストが高くなるものである。
【先行技術文献】
【特許文献】
【０００５】
【特許文献１】特開平１１−２８５５９７号公報
【特許文献２】実登３０８２７１５号公報
【発明の概要】
【発明が解決しようとする課題】
【０００６】
そこで、洗濯物干し用ハンガーのフックどうしが絡まることなく、収納場所から1本１本を簡単に取り出すことができ、手間をかけることなく物干し竿に掛けることができるシンプルな構造のハンガーを提供することを課題とする。
【課題を解決するための手段】
【０００７】
以上の課題を解決するために、本発明はハンガー本体１のフック部分１aにガード部品２を取り付けることにより、未使用時にはフックの形状が円形になり、衣類を掛けると物干し竿のポール３の形状に則して変形することを特徴とする円形フック付きハンガーである。
【０００８】
さらに、フック部分１aとの結合の容易さと結合部のグリップ力を高めるために、ガード部品２の第１リング状部分２a及び第２リング状部分２bをチューブ形状としたことを特徴とする円形フック付きハンガーである。
【０００９】
また、前記ガード部品２は、前記フック部１aの曲面を覆い隠しやすく、なおかつ、物干し竿のポール３の形状に則して変形しやすいように、前記中央部分２cを、前記チューブ形状を半割にしたＵ字型断面形状にしたことを特徴とする。
【発明の効果】
【００１０】
上記の構成としたので、洗濯かごや袋等に複数の円形フック付きハンガーをまとめて収納しておいても、未使用時は前記フック部分１aの先端１bが覆い隠されているので、ハンガー本体１に引っ掛かったり、フック部分１aどうしが絡まることがなく、１本１本を簡単に取り出すことができる。なおかつ、ガード部品２は柔軟性を備えているため、衣類を掛けると物干し竿のポール３の形状に則して変形するので、ガード部品２を取り外す等の手間をかけることなくそのままフック部分１aを掛けることができる。
【００１１】
しかも、前記ガード部分２は、物干し竿のポール３にしっかりと密着するので、風でハンガーが移動することを防止することもできる。
【００１２】
さらに、円形フック付きハンガーを物干し竿のポール３から取り外すとガード部品２は容易に円形に戻りフック部分の先端１bを包み隠すので、フックどうしの絡みを気にすることなく洗濯かごや袋等に収納することができる。
【００１３】
また、ガード部品２はシリコンゴムやエチレンプロピレンゴム等の染色が容易な材質を用いるため、カラフルなデザインにすることができ、ファッション性にも優れている。
【００１４】
そして、円形フック付きハンガーは、ハンガー本体１にガード部品２を装着する極めてシンプルな構造であるため、製作が容易なだけでなく製作コストを低くすることができる。
【図面の簡単な説明】
【００１５】
【図１】本発明による円形フック付きハンガー全体図
【図２】両端のチューブ形状になったガード部品２だけを示す図
【図３】Ｕ字型断面形状を示す図
【図４】ガード部品２が装着された状態のフック部分１aの拡大図
【図５】円形フック付きハンガーを物干し竿のポールに掛けた状態を示す斜視図
【図６】円形フック付きハンガーを物干し竿のポールに掛けた状態を示す真横図
【図７】特開平１１−２８５５９７号公報に記載の洗濯物干し用ハンガーの選択図
【図８】実登３０８２７１５号公報に記載の洗濯物干し用ハンガー選択図
【発明を実施するための形態】
【００１６】
本発明の実施の形態は、収納時にハンガーのフックどうしが絡まないようにすることで、なおかつ、ハンガーを物干し竿のポール３に掛けるときにガード部品２を取り外す等の手間をかけることなく、そのまま掛けられるようにしたものである。そのため、前記ガード部品２には、柔軟性と耐久性を備えた、例えばシリコンゴムやエチレンプロピレンゴム等の材質を用いる。さらに、前記中央部分２cのＵ字型断面は、凹凸等に加工すると、物干し竿のポール３に掛けた際に滑りにくくなりさらに良い。
【実施例】
【００１７】
以下、図示実施例に基づいて説明する。図１は請求項１に記載の円形フック付きハンガーの全体図であり、未使用時の円形フック付きハンガーの状態を示す。円形フック付きハンガーは、フック部分１aを有するハンガー本体１とガード部品２から成る。
【００１８】
図２は、ガード部品２のみを示す図である。ガード部品２は、シリコンゴムやエチレンプロピレンゴム等の柔軟性と耐久性を備えた材質から成っており、両端はチューブ形状になっている。両端とは、フック部分１aの先端から通しフック部分１aの首部に位置させる第１リング状部分２aと、フック部分の先端１bに通し位置させる第２リング状部分２bに該当する。その両端の間に位置する中央部分２cは、図３が示すように、チューブ形状を半割にしたＵ字型断面形状である。なお、前記中央部分２cはフック部分の円周の半分の長さに相当する。そのため、図４が示すように、ガード部品２をフック部１aに装着された状態では、ガード部品２がフック部分の開口部を閉じるとともにフック部分の先端１bを覆い隠すので、洗濯かごや袋に収納して保管する際に、他の円形フック付きハンガーのハンガー本体１やフック部分１aにフックの先端１bが絡まることを防止できる。
【００１９】
図５は、請求項１に記載の円形フック付きハンガーを物干し竿のポール３に掛けた状態を示している。図６が示すように、フック部１aとガード部品２を結合する第１リング状部分２a及び第２リング状部分２bを基点として、前記中央部分２cが物干し竿のポール３の形状に則して変形するので、ガード部品２を取り外す等の手間をかけることなく、そのままハンガーを物干し竿に掛けることができ、なおかつ、物干し竿のポール３にしっかりと密着するので、風でハンガーが移動することを防止することもできるものである。
【符号の説明】
【００２０】
１ハンガー本体
１aハンガーのフック部分
１bフック部分の先端
２  ガード部品
２a第１リング状部分
２b第２リング状部分
２c第１リング状部分及び第２リング状部分の間に位置する中央部分
３物干し竿のポール
【図１】
2010253009.tif 000003
【図２】
2010253009.tif 000004
【図３】
2010253009.tif 000005
【図４】
2010253009.tif 000006
【図５】
2010253009.tif 000007
【図６】
2010253009.tif 000008
【図７】
2010253009.tif 000009
【図８】
2010253009.tif 000010
【手続補正書】
【提出日】平成21年9月28日(2009.9.28)
【手続補正１】
【補正対象書類名】特許請求の範囲
【補正対象項目名】請求項１
【補正方法】変更
【補正の内容】
【請求項１】
洗濯物干し用ハンガーにおいて、フック部分１aに柔軟性と弾性を備えた材質で作られたガード部品２を取り付けたハンガーで、このガード部品２は、一端にフック部分１aの先端から通しフック部分１aの首部に位置させる第１リング状部分２aを、他端にフック部分１aの先端から通し位置させる第２リング状部分２bをそれぞれ有し、両端の間に位置する中央部分２cは、未使用時にはフック部分１aとの組み合わせがなす形状が円形になり、衣類が掛かった状態でハンガーを物干し竿にかけるとそのポール３の形状に則して変形することを特徴とする円形フック付きハンガー。
【手続補正書】
【提出日】平成21年11月2日(2009.11.2)
【手続補正１】
【補正対象書類名】特許請求の範囲
【補正対象項目名】請求項１
【補正方法】変更
【補正の内容】
【請求項１】
洗濯物干し用ハンガーにおいて、フック部分１aに柔軟性と弾性を備えた材質で作られたガード部品２を取り付けたハンガーで、このガード部品２は、一端にフック部分１aの先端から通しフック部分１aの首部に位置させる第１リング状部分２aを、他端にフック部分１aの先端から通し先端に位置させる第２リング状部分２bをそれぞれ有し、両端の間に位置する中央部分２cは、未使用時にはフック部分１aとの組み合わせがなす形状が円形になり、衣類が掛かった状態でハンガーを物干し竿にかけるとそのポール３の形状に則して変形することを特徴とする円形フック付きハンガー。